(57)【要約】  本発明は、特にタイムピースモジュール、別のタイプのウォッチモジュールまたはベーシックウォッチムーブメントの形態の、タイムピースへの組み込みに適したデバイスに関し、前記デバイスは、少なくとも１つの開口を備えており、該開口には、関連する画像ガイドが取り付けられており、かつこれら画像ガイドそれぞれに関して、前記デバイスは、画像ガイドが表示面に表示される表示情報をディスプレイ面上に再生できるように、関連する開口に該画像ガイドを固定するための手段を備える。本発明は、さらにそうしたデバイスを備える対応するタイムピースに関する。
2014528580.tif 000002
【特許請求の範囲】
【請求項１】
タイムピースへの組み込みに適した、表示情報を再生するためのデバイス（１、３）であって、
前記デバイス（１、３）は、少なくとも１つの開口（１．１、３．２）を備えており、前記開口のいずれにも、関連する画像ガイド（２）が取り付けられており、かつ、
前記デバイス（１、３）は、前記画像ガイド（２）が表示面上に表示される表示情報をディスプレイ面上で再生できるように、これら画像ガイド（２）それぞれのために、前記関連する開口（１．１）内に前記画像ガイドを固定するための手段（５、６）を備えることを特徴とするデバイス。
【請求項２】
前記デバイスは、前記タイムピースのベーシックウォッチムーブメント（３）と協働するタイムピースモジュールからなり、かつこれを用いて少なくとも１つの付加的な機能を実施でき、
前記タイムピースモジュール（１）は、少なくとも１つの開口（１．１）を有しており、前記開口のいずれにも、関連する画像ガイド（２）が取り付けられており、かつ、
前記タイムピースモジュール（１）は、前記画像ガイド（２）が表示面上に表示される表示情報を前記ディスプレイ面上で再生できるように、これら画像ガイド（２）それぞれのために、前記モジュール（１）における前記関連する開口（１．１）内に前記画像ガイドを固定するための手段（５、６）を備えていることを特徴とする請求項１に記載のデバイス。
【請求項３】
前記タイムピースモジュール（１）における前記開口（１．１）は、前記画像ガイド（２）が、前記ベーシックウォッチムーブメント（３）の表示面または前記タイムピースのモジュールの表示面に表示される表示情報を、前記タイムピースモジュール（１）の前記ディスプレイ面上で表示できるように、連続的なものであることを特徴とする請求項２に記載のデバイス。
【請求項４】
前記デバイスは、ベーシックウォッチムーブメント（３）と直接協働しないウォッチモジュールからなり、前記ウォッチモジュールは、前記タイムピースの少なくとも１つの付加的な機能を実施し、かつ、
前記モジュールは少なくとも１つの開口を有しており、前記開口のいずれにも、関連する画像ガイド（２）が、前記画像ガイド（２）が表示面上に表示される表示情報をディスプレイ面上で再生できるように、関連する固定手段（５、６）を用いて取り付けられていることを特徴とする請求項１に記載のデバイス。
【請求項５】
前記ウォッチモジュールは、圧力計、高度計、深さゲージ、気圧計、コンパスからなるグループから選択されることを特徴とする請求項４に記載のデバイス。
【請求項６】
前記デバイスは、タイムピースのベーシックウォッチムーブメント（３）からなり、かつ、
前記ベーシックウォッチムーブメント（３）は、少なくとも１つの開口（３．２）を有しており、前記開口のいずれにも、画像ガイド（２）が、前記画像ガイド（２）が表示面上に表示される表示情報をディスプレイ面上で再生できるように、関連する固定手段（５、６）を用いて取り付けられていることを特徴とする請求項１に記載のデバイス。
【請求項７】
前記表示情報の表示面は、前記ベーシックウォッチムーブメント（３）内にまたはその上に配置されており、かつ前記ディスプレイ面は、前記ベーシックウォッチムーブメント（３）の、タイムピースモジュール（１）の、またはウォッチモジュールの、前記表示面から離間された位置に配置されていることを特徴とする請求項６に記載のデバイス。
【請求項８】
前記表示情報の表示面は、前記ムーブメント（３）とは協働しないモジュール内またはその上に配置されており、かつ、前記ディスプレイ面は、前記ベーシックウォッチムーブメント（３）のまたはタイムピースモジュール（１）の、前記表示面から離間された位置に配置されていることを特徴とする請求項６に記載のデバイス。
【請求項９】
前記画像ガイド（２）を固定するための手段（５、６）は、タイムピースブリッジ（３．３）またはモジュールベースプレート（１．２）のいずれかに取り付けられる固定クランプ（５）によって実現されることを特徴とする請求項１から請求項８のいずれか一項に記載のデバイス。
【請求項１０】
前記固定クランプ（５）は、前記タイムピースブリッジ（３．３）または前記モジュールベースプレート（１．２）のいずれかと一体的に製造されることを特徴とする請求項９に記載のデバイス。
【請求項１１】
前記画像ガイド（２）を固定するための手段（５、６）は、タイムピースブリッジ（３．３）またはモジュールベースプレート（１．２）のいずれかに取り付けられるソケット（６）によって実現されることを特徴とする請求項１から請求項１０のいずれか一項に記載のデバイス。
【請求項１２】
前記ソケット（６）は、クリンピングによって、ねじ係合によって、または保持要素（７）の使用によって、前記タイムピースブリッジ（３．３）または前記モジュールベースプレート（１．２）のいずれかに取り付けられることを特徴とする請求項１１に記載のデバイス。
【請求項１３】
前記ソケット（６）は、円筒形の、矩形の、または多角形の外形、および／または、円筒形の、円錐形の、傾斜した、矩形の、または多角形の内径を有することを特徴とする請求項１１または請求項１２に記載のデバイス。
【請求項１４】
前記画像ガイド（２）は、接着剤を用いて前記ソケット（６）に取り付けられることを特徴とする請求項１１から請求項１３のいずれか一項に記載のデバイス。
【請求項１５】
前記ソケット（６）は、その内側に延在する接着剤ジョイントを有することを特徴とする請求項１４に記載のデバイス。
【請求項１６】
前記画像ガイド（２）は、ベーシックウォッチムーブメント（３）の表示面、タイムピースモジュール（１）の表示面、または表示ディスク（３．１）および／またはポインターを使用する時計のウォッチモジュールの表示面上に表示された表示情報を、前記ディスプレイ面上で再生できることを特徴とする請求項１から請求項１５のいずれか一項に記載のデバイス。
【請求項１７】
前記画像ガイド（２）を用いて前記ディスプレイ面上に再生された表示情報は、日付、曜日、月、年、月の満ち欠け、タイムピースの電力残量、モード表示、アラーム表示、ワールドタイム表示、高度、深さ、圧力などを含む表示情報の群から選択されることを特徴とする請求項１から請求項１６のいずれか一項に記載のデバイス。
【請求項１８】
前記画像ガイド（２）は、前記ディスプレイ面上で再生される表示情報を、その表示軸線を変位させて、拡大して、着色して、かつ／または表示情報を変形させて、再生できることを特徴とする請求項に記載の請求項１から請求項１７のいずれか一項にデバイス。
【請求項１９】
画像ガイド（２）は、シース（９）を有することを特徴とする請求項１から請求項１８のいずれか一項に記載のデバイス。
【請求項２０】
タイムピース、特に腕時計であって、請求項１から請求項１９のいずれか一項に記載のデバイス（１）を少なくとも備えることを特徴とするタイムピース。
【発明の詳細な説明】
【技術分野】
【０００１】
本発明は、時計、特にタイムピースモジュール、別のタイプのウォッチモジュールまたはベーシックウォッチムーブメントへの組み込みに適したデバイスに関し、かつそうしたデバイスが搭載される対応する時計に関するものである。
【背景技術】
【０００２】
本発明の背景として、今日の時計製造業が、時計に、特にメカニカル時計にこれまで以上に複雑な機能を組み込むことを目指しかつそれを可能にすると同時にこれをできる限り技術的に単純な−かつ美的な魅力のある−方法で実現しようと努力しているという事実がある。
【０００３】
これは、一方では、例えば簡単な様式でベーシックウォッチムーブメントに取り付けることができるタイムピースモジュールの使用をますます普及させ、これは、あわせてモジュラーの組み立てを容易にする限りは少なくとも１つの付加的な機能を実施できる。こうしたことは、ベーシックウォッチムーブメントの主要な変更を要求せずにそうしたタイムピースモジュールをベーシックウォッチムーブメントに取り付けることができるために、かつベーシックウォッチムーブメントと協働することにより、時計に付加的な機能を提供する。例えば、ベーシックウォッチムーブメントによって駆動されかつその上に取り付けられるタイムピースモジュールは、コンパクトな様式で、さまざまな天文学データ、永久カレンダー機能、聴音反復機能、アラーム機能、レガッタウォッチまたはダイビングウォッチに必要な表示情報または同様の情報を提供できる。
【０００４】
他方では、そうすることは、典型的にタイムピースモジュールがダイアルとベーシックウォッチムーブメントとの間に配置される場合において、例えば標準的な日付ディスプレイを構成できるベーシックウォッチムーブメントによって提供される表示情報を、さらにウォッチダイアルによって規定されるディスプレイ面から離れるように移動させることを必要とする。日付に関する公知のデザインにおいては、結果的に、時計の使用者は、ベーシックウォッチムーブメントによって提供される表示情報を、ダイアル面に対して非常に低いところに存在するものと認識し、加えて制限された角度の視界の範囲でしか表示情報を読み取ることができない。
【０００５】
同様の問題点として、ムーブメントと直接協働しないがムーブメントに取り付けることができかつ少なくとも１つの付加的な特徴部を実施可能にする他のウォッチモジュールの使用にも影響を及ぼすことが挙げられる。実際に、そうしたウォッチモジュールは、時計が非常に多くの複雑な機能を備えかつそれらが例えば深さゲージまたは高度計などを実現するために使用される圧力計からなるにつれて、次第に一般的となってきた。そうしたモジュールは、ベーシックウォッチムーブメントや上述の付加的なタイムピースモジュールとは関係なく機能しかつモジュラー構成を実現できる。しかしながら、タイムピースモジュールの場合のように、多くの場合にタイムピースモジュールの半径方向周囲にまたはタイムピースモジュールの下方に配置されるムーブメントに対する独立的なウォッチモジュールの位置に応じて、そうした独立的なウォッチモジュールを取付ける場合、例えばウォッチモジュールの上部に提供される利用可能な表示情報は、ダイアルの平面に対して好ましくないポジションに位置される。このとき、使用者にとって容易でありかつ美的に満足のいくレベルの読みやすさを実現するためにダイアル面に表示情報を配置するべく、扱いにくくかつ技術的に複雑な設計の変更がベーシックウォッチムーブメントに対して要求される。
【０００６】
最終的に、こうした一連の問題は、多くのベーシックウォッチムーブメントにも見られる。例えば、いくつかのタイムピースムーブメントは、ベーシックウォッチムーブメントの構成に応じて、例えばタイムピースムーブメントのダイアル側に配置できるタイムピースの電力蓄積のディスプレイを備える。しかしながら、さまざまなディスプレイを備える複雑な時計のダイアルに過負荷が掛かることを避けるために、ウォッチケースの底部における窓を介してその情報を表示することが望まれる。なお、これは、技術的に複雑でありかつコストのかかるムーブメントの再構成を引き起こし得る。別の例として、メカニカルタイムピースのアラーム機能のオン−オフ情報などのベーシックウォッチムーブメントに時折表示されるモード表示が挙げられる。そうした情報は、通常、巻き上げシャフトと同じ高さでベーシックウォッチムーブメントの中央に位置しているが例えば適切な手段によってダイアルの高さまで導く必要がある。
【０００７】
上記のタイプのタイムピースモジュールに限定されるが、こうした問題点を解決するための１つの手法は、タイムピースモジュールの設計および製造において、可能な限り美観的に不利な利点を限度内に維持するために、できる限り薄手のものにできることが挙げられる。なおこれは、特にタイムピースモジュールに特定の機能が導入されかつ一般費用が設計および製造に関して増大する場合において、技術的な実現可能性に関連する厳しい制約をもたらす。上述の他のウォッチモジュールに関しても、あるいはベーシックウォッチムーブメント自体に関しても同様のことが言える。
【０００８】
一般的に、特に時計製造業において、所定の面から異なるディスプレイ面へ画像を光学的に変移できるいわゆる画像ガイドを使用することが知られている。そのため、例えば早ければ１９７１年から特許文献１には、時計の面におけるディスプレイディスクから時計の面に対して傾斜したディスプレイ面上へ表示情報を屈折させるために画像ガイドを使用することが開示されている。１９７９年以降は、特許文献２により美的効果の実現をより目的として時計に画像ガイド（一般的には光ファイバ）をさまざまなに適用することが開示される。特許文献３および４には時計に画像ガイドを用いるさらなる例が開示される。
【０００９】
しかしながら、特許文献１〜４によれば、時計製造産業に画像ガイドを使用する利点がこれら文献に記載されているにもかかわらず、時計製造産業に画像ガイドを使用すること自体は確立されておらず、かつ今日でもめったに見られず、実際に出願人の知る限りではほぼ存在しないことに留意されたい。その理由は、とりわけ、画像ガイドはその材料特性によって引き起こされる繊細さ、破損しやすさが原因となり加工が比較的困難であり、かつ特に携帯物品である腕時計に取り付けられる画像ガイドは衝撃により容易に損傷され得るという事実にある。特に、衝撃および加圧に対する画像ガイドの壊れやすさが原因となって、画像ガイドは、その加工中、例えば時計の製造工程中、特に時計に設置される際に非常に簡単に損傷され得ることに留意されたい。これだけでなく画像ガイドと表示情報の本来のディスプレイ面との間に必要な距離も、伝達される画像の質の少なくとも部分的な欠損（例えば縁部の鮮明さや色の強さが低減される形態、さらには画像が不明瞭となる程度）を引き起こすことがあり、それによって画像ガイドの潜在的な利点が損なわれる。
【先行技術文献】
【特許文献】
【００１０】
【特許文献１】米国特許第３，５６６，６０２号明細書
【特許文献２】独国特許第２  ９３６  ９５３号明細書
【特許文献３】欧州特許出願公開第０  １８１  ８０９号明細書
【特許文献４】米国特許第３，９６６，３０３号明細書
【発明の概要】
【発明が解決しようとする課題】
【００１１】
こうした事情に鑑みて、本発明の目的は、上述の問題点および不利益な点を解消することでありかつ、−時計製造業における専門家の現在の一般的見解に反して−、付加的な機能をベーシックウォッチムーブメントにモジュラー様式で有利に追加できるデバイスを実現し、同時に、表示面上に表示される表示情報を、美観に関してなんら不利になる点を伴わずに可能な限り自由に選択できるディスプレイ面の高さにおいて認識できるようにすることである。したがって本発明の対象は、請求項１に記載の特別な特徴を有するデバイスならびにそうしたデバイスを備える対応するタイムピースである。
【課題を解決するための手段】
【００１２】
上記目的を達成するために、本発明は、特に、少なくとも１つの開口を備えるデバイスであって、開口のいずれにも関連する画像ガイドが取り付けられており、かつこれら画像ガイドそれぞれのために、画像ガイドが表示面上に表示される表示情報をディスプレイ面上で再生できるように、関連する開口内に画像ガイドを固定するための手段を備える、デバイスに特徴付けられる。
【００１３】
特に、上記デバイスは、ベーシックウォッチムーブメントと協働するタイムピースモジュールから、ベーシックウォッチムーブメントとは関係なく作動する別のタイムピースモジュールから、または、ベーシックウォッチムーブメント自体から構成でき、いずれの場合においても、表示面上に表示される表示情報がディスプレイ面上で再生されるように、少なくとも１つの画像ガイドが適切な固定手段によって少なくとも１つの関連する開口に取り付けられている。
【００１４】
前記デバイスにおける開口は、要求に応じて、連続様式または非連続様式で、つまり表示情報を非常に適応性のある選択可能なポイントからディスプレイ面へ送ることができるように一方向に面するように構成できる。したがって、例えば本発明に基づくタイムピースモジュールが少なくとも１つの連続開口内に画像ガイドを備える場合、表示ディスクおよび／またはポインターを用いてベーシックウォッチムーブメントの表示面上に本来表示される表示情報を、タイムピースモジュールのディスプレイ面上で再生できる。ベーシックウォッチムーブメントの場合、当該ベーシックウォッチムーブメントが連続開口内に画像ガイドを備えることによって、ベーシックウォッチムーブメントの下方に位置決めされた圧力計に基づく高度の表示数値などの付加的なタイムピースモジュールによる表示情報は、ベーシックムーブメントを通過して、ダイアルの高さにあるディスプレイ面上へ伝達できる。さらなる構造において、例えばタイムピースの特定の機能の作動のモードに関して、ベーシックウォッチムーブメントの中心から発生する情報項目を、ムーブメントにおける非連続開口内に取り付けられた画像ガイドを介してベーシックウォッチムーブメントの上部または下部で再生できる。さらなる構造も考えられ、本発明に基づくデバイスを非常に柔軟に適用することが可能である。
【００１５】
画像ガイドの特別な選択によって、画像は、表示軸線がシフトされた状態で、表示情報が拡大され、かつ／または表示情報が変形されて、デバイスのディスプレイ面上に再生できる。また、例えば画像ガイドを着色することによって、表示情報のカラーデザインを変更できる。
【００１６】
加えて、１つの画像ガイドまたは複数の画像ガイドそれぞれを固定するための当該手段を、モジュールベースプレートに直接一体化でき、あるいは成型ソケットの形態などの別の構成要素として構成できる。このソケットは、クリンピングによって、ねじ係合によって、または保持要素の使用によって、モジュールベースプレートに取り付けることができる。
【００１７】
したがって、本発明に基づくデバイスに、適切な固定手段とともに画像ガイドを関連する開口に提供することによって、タイムピースへの付加的な機能の組み込みが技術的に容易にかつモジュラー式で可能になり、またディスプレイ面上に本来表示される表示情報の魅力的な再生が可能となる。画像ガイドの適切な選択は、状況によって所望されるさらなる効果を実現可能にする。本発明に基づくデバイスは、原理的に、タイムピースに、特に腕時計に組み込まれる適切なベーシックウォッチムーブメントに関連して使用できる。それゆえ、本発明に基づくデバイスは、モジュラーデザイン原理を維持しつつ、全体的に非常に適応性がありかつ利点のある様式で使用できる。
【００１８】
本発明に基づくデバイスのいくつかの例示的な実施形態を添付の図面に示す。
【図面の簡単な説明】
【００１９】
【図１ａ】組み込まれた画像ガイドを有する本発明に基づくタイムピースモジュールの基本原理を示す概略分解斜視図である。
【図１ｂ】図１ａの画像ガイドの拡大図である。
【図１ｃ】図１ａのモジュラーの組み立てられた状態の実施形態を示す図である。
【図１ｄ】図１ａのモジュラーの組み立てられた状態の図１ｃとは異なる実施形態を示す図である。
【図１ｅ】ベーシックウォッチムーブメントから発しかつ目盛り付きのポインターとの連携により指示される表示情報が画像ガイドを介して表示されたダイアルであって、特に本発明に基づくタイムピースモジュールがこのベーシックウォッチムーブメントと組み合わせられた状態で図示される、ダイアルの概略平面図である。
【図１ｆ】図１ｅに図示されたダイアルを特に透視図で示す図である。
【図２ａ】モジュールベースプレートに直接組み込まれるかそれに取り付けられる固定手段に基づく、本発明に基づくタイムピースモジュールの４つの実施形態のうちの１つの原理を概略的に示す分解図である。
【図２ｂ】モジュールベースプレートに直接組み込まれるかそれに取り付けられる固定手段に基づく、本発明に基づくタイムピースモジュールの４つの実施形態のうちの１つの原理を概略的に示す分解図である。
【図２ｃ】モジュールベースプレートに直接組み込まれるかそれに取り付けられる固定手段に基づく、本発明に基づくタイムピースモジュールの４つの実施形態のうちの１つの原理を概略的に示す分解図である。
【図２ｄ】モジュールベースプレートに直接組み込まれるかそれに取り付けられる固定手段に基づく、本発明に基づくタイムピースモジュールの４つの実施形態のうちの１つの原理を概略的に示す分解図である。
【図３ａ】図２ａに基づく本発明のタイムピースモジュールの好ましい実施形態を、組み立てられていない状態で、例示的かつ概略的な形態で示す斜視図である。
【図３ｂ】図２ａに基づく本発明のタイムピースモジュールの好ましい実施形態を、組み立てられていない状態で、例示的かつ概略的な形態で示す斜視図である。
【図３ｃ】図２ａに基づく本発明のタイムピースモジュールの好ましい実施形態を、組み立てられていない状態で、例示的かつ概略的な形態で示す斜視図である。
【図３ｄ】図２ａに基づく本発明のタイムピースモジュールの好ましい実施形態を、組み立てられた状態で、例示的かつ概略的な形態で示す斜視図である。
【図３ｅ】図２ａに基づく本発明のタイムピースモジュールの好ましい実施形態を、図３ｄに示される線Ｉ−Ｉに沿って例示的かつ概略的な形態で示す断面図である。
【図３ｆ】図２ａに基づく本発明のタイムピースモジュールの実施形態を、組み立てられた状態で例示的かつ概略的な形態で示す部分斜視図である。
【図３ｇ】図２ａに基づく本発明のタイムピースモジュールの実施形態を、組み立てられた状態で例示的かつ概略的な形態で示す平面図である。
【図３ｈ】図２ａに基づく本発明のタイムピースモジュールの実施形態を、図３ｇにおける線II−IIに沿って例示的かつ概略的な形態で示す断面図である。
【図４ａ】図２ｂに基づく本発明のタイムピースモジュールの実施形態を、組み立てられた状態で例示的かつ概略的な形態で示す部分斜視図である。
【図４ｂ】図２ｂに基づく本発明のタイムピースモジュールの実施形態を、組み立てられた状態で例示的かつ概略的な形態で示す平面図である。
【図４ｃ】図２ｂに基づく本発明のタイムピースモジュールの実施形態を、図４ｂにおける線III−IIIに沿って例示的かつ概略的な形態で示す断面図である。
【図５ａ】図２ｃに基づく本発明のタイムピースモジュールの実施形態を、組み立てられた状態で例示的かつ概略的な形態で示す部分斜視図である。
【図５ｂ】図２ｃに基づく本発明のタイムピースモジュールの実施形態を、組み立てられた状態で例示的かつ概略的な形態で示す平面図である。
【図５ｃ】図２ｃに基づく本発明のタイムピースモジュールの実施形態を、図５ｂにおける線IV−IVに沿って例示的かつ概略的な形態で示す断面図である。
【図６ａ】図２ｄに基づく本発明のタイムピースモジュールの実施形態を、組み立てられた状態で例示的かつ概略的な形態で示す部分斜視図である。
【図６ｂ】図２ｄに基づく本発明のタイムピースモジュールの実施形態を、組み立てられた状態で例示的かつ概略的な形態で示す平面図である。
【図６ｃ】図２ｄに基づく本発明のタイムピースモジュールの実施形態を、図６ｂにおける線Ｖ−Ｖに沿って例示的かつ概略的な形態で示す断面図である。
【図７ａ】円錐形画像ガイドを使用して画像拡大効果を発生させる本発明に基づくタイムピースモジュールの実施形態を概略的に示す斜視分解図である。
【図７ｂ】円錐形画像ガイドを使用して画像拡大効果を発生させる本発明に基づくタイムピースモジュールの実施形態を概略的に示す部分拡大図である。
【図７ｃ】円錐形画像ガイドを使用して画像拡大効果を発生させる本発明に基づくタイムピースモジュールの実施形態を、部分的に透明かつ組み立てられた状態で概略的に示す斜視図である。
【図７ｄ】円錐形画像ガイドを使用して画像拡大効果を発生させる本発明に基づくタイムピースモジュールの実施形態を、図７ｃに示される線VI−VIに沿って概略的に示す断面図である。
【図８ａ】傾斜した画像ガイドを使用して画像変移効果を発生させる本発明に基づくタイムピースモジュールの実施形態を概略的に示す斜視分解図である。
【図８ｂ】傾斜した画像ガイドを使用して画像変移効果を発生させる本発明に基づくタイムピースモジュールの実施形態を概略的に示す部分拡大図である。
【図８ｃ】傾斜した画像ガイドを使用して画像変移効果を発生させる本発明に基づくタイムピースモジュールの実施形態を、部分的に透明かつ組み立てられた状態で概略的に示す斜視図である。
【図８ｄ】傾斜した画像ガイドを使用して画像変移効果を発生させる本発明に基づくタイムピースモジュールの実施形態を、図８ｃに示される線VII−VIIに沿って概略的に示す断面図である。
【図９ａ】本発明に基づくベーシックウォッチムーブメントの斜視分解図によって、画像ガイドを用いてベーシックウォッチムーブメントのうちダイアルから離れて面する側に表示情報を伝達可能にする本発明に基づくベーシックウォッチムーブメントの一実施形態の原理を概略的に示す図である。
【図９ｂ】部分的に透視図になされた本発明に基づくベーシックウォッチムーブメントの斜視拡大図によって、画像ガイドを用いてベーシックウォッチムーブメントのうちダイアルから離れて面する側に表示情報を伝達可能にする本発明に基づくベーシックウォッチムーブメントの一実施形態の原理を概略的に示す図である。
【図９ｃ】図９ａに示される線VIII−VIIIに沿ったベーシックウォッチムーブメントの断面図によって、画像ガイドを用いてベーシックウォッチムーブメントのうちダイアルから離れて面する側に表示情報を伝達可能にする本発明に基づくベーシックウォッチムーブメントの一実施形態の原理を概略的に示す図である。
【図９ｄ】表示情報を読み取るために時計のベース上にウィンドウが設置されたウォッチハウジングの斜視図を概略的かつ例示的に示す図である。
【図１０ａ】本発明に基づくデバイスに使用可能な画像ガイドの実施可能な形態の選択肢および再生される表示情報へのその画像ガイドの作用を示す概略斜視図である。
【図１０ｂ】本発明に基づくデバイスに使用可能な画像ガイドの実施可能な形態の選択肢および再生される表示情報へのその画像ガイドの作用を示す概略斜視図である。
【図１０ｃ】本発明に基づくデバイスに使用可能な画像ガイドの実施可能な形態の選択肢および再生される表示情報へのその画像ガイドの作用を示す概略斜視図である。
【図１０ｄ】本発明に基づくデバイスに使用可能な画像ガイドの実施可能な形態の選択肢および再生される表示情報へのその画像ガイドの作用を示す概略斜視図である。
【図１１ａ】本発明に基づくデバイスに使用可能な画像ガイドの外側シースの実施可能な形態の選択肢の概略斜視図である。
【図１１ｂ】本発明に基づくデバイスに使用可能な画像ガイドの外側シースの実施可能な形態の選択肢の概略斜視図である。
【図１１ｃ】本発明に基づくデバイスに使用可能な画像ガイドの外側シースの実施可能な形態の選択肢の概略斜視図である。
【図１１ｄ】本発明に基づくデバイスに使用可能な画像ガイドの外側シースの実施可能な形態の選択肢の概略斜視図である。
【図１１ｅ】本発明に基づくデバイスに使用可能な画像ガイドの外側シースの実施可能な形態の選択肢の概略斜視図である。
【図１１ｆ】本発明に基づくデバイスに使用可能な画像ガイドの外側シースの実施可能な形態の選択肢の概略斜視図である。
【図１１ｇ】本発明に基づくデバイスに使用可能な画像ガイドの外側シースの実施可能な形態の選択肢の概略斜視図である。
【図１１ｈ】本発明に基づくデバイスに使用可能な画像ガイドの外側シースの実施可能な形態の選択肢の概略斜視図である。
【図１１ｉ】本発明に基づくデバイスに使用可能な画像ガイドの外側シースの実施可能な形態の選択肢の概略斜視図である。
【図１１ｊ】本発明に基づくデバイスに使用可能な画像ガイドの外側シースの実施可能な形態の選択肢の概略斜視図である。
【図１１ｋ】本発明に基づくデバイスに使用可能な画像ガイドの外側シースの実施可能な形態の選択肢の概略斜視図である。
【発明を実施するための形態】
【００２０】
以下、本発明について上述の図面を参照してさまざまな実施形態に関連して詳細に説明する。ここでの目的は、まず、別のタイプのタイムピースモジュールまたは基本的なウォッチムーブメントの形態の対応するデバイスについて論ずる前に、付加的なタイムピースモジュールの形態のデバイスについての説明に基づいて本発明に基づくデバイスの原理的な特徴部を説明することである。
【００２１】
本発明に基づく上述のタイムピースモジュールは、主に、日付ディスプレイを備えるベーシックウォッチムーブメントの例に基づいて説明される。なお、そうしたデバイスはベーシックウォッチムーブメントによって再生される所望の表示情報とともに容易に使用できる。したがって以下の説明は本発明の範囲を制限するものではない。
【００２２】
以下の説明では、タイムピースモジュールとの用語は、ベーシックウォッチムーブメントに加えてかつそれに隣接してウォッチケース内に組み込まれるかまたは時計に一体化されるモジュールを意味するよう使用される。当該モジュールは、時計のムーブメントとともに少なくとも１つの付加的な特徴部を実施できるような形式で時計のムーブメントと機能的に協働する。これは、一般的に、タイムピースモジュールがその付加的な機能を提供するためにベーシックウォッチムーブメントから駆動エネルギーを引き出すという事実に基づく場合である。これに対して、ウォッチモジュールとの用語は、以下の説明では、タイムピースのベーシックウォッチムーブメントとは関係なく、対応するモジュールが付加的な機能を実施可能にする機能に対して使用される。これは、タイムピースモジュールが通常はその付加的な機能を提供するためにベーシックウォッチムーブメントから駆動エネルギーを引き出さないという事実に基づく場合である。用語をさらに明瞭にするために、以下では概略的に、指示モジュール(designation module)またはモジュラーはそれ自体の機能を備える独立型構成要素として解釈され、これはまた構造的容積に関連して空間的隔離を伴う。なお、特に、より小さなモジュールの場合、より小さなモジュールがその機能自律性にかかわらず例えばベーシックウォッチムーブメントの容積内に設置可能である限りは、ウォッチモジュールは必ずしもそうであるとは限らない。
【００２３】
簡略化のために、以下では概略的に、画像ガイド(image guide)との用語が、光ファイバー、光ファイバーケーブル、コヒーレント光ファイバー、または同様の光ファイバーと同義的に使用される。なお厳密に言うと、画像ガイドは、多数の単一光ファイバーケーブルまたは複数の光ファイバーの整列された束である。一般的に、光ファイバーケーブルなどの画像ガイドは、光信号送信などのさまざまな他の用途に加えて、画像を画像ガイドの遠位端からその近位端へ伝達できる。上述のように、これら画像ガイドまたは光ファイバーケーブルは、以前から一般的に知られている。そのため、現時点では、本発明で使用される画像ガイドの材料や対応する画像ガイドの構成要素が自由に市販されている程度まで、その構造および技術的特性に関して詳細には説明する必要はない。しかしながら、時計製造業においては画像ガイドまたは光ファイバーケーブルを使用することは今でも一般的ではない。したがって以下では、本発明に必須の態様、特にタイムピースモジュール、他のウォッチモジュールまたはベーシックウォッチムーブメントなどのデバイスに画像ガイドを組み込むことについて、ならびに第１の場所に本明細書で提案されるようなデバイスを導入できかつ対応するタイムピースの製造および使用中の画像ガイドの損傷を避けることができる画像ガイドの固定に必要な手段について、重点的に説明する。
【００２４】
したがって、図１ａには、そうしたデバイスの基本原理を説明するために、本発明に基づくタイムピースモジュール１の概略的かつ例示的な斜視分解図を示す。該タイムピースモジュール１は、ベーシックウォッチムーブメント３とダイアル４との間に配置されている。図１ａに図示されるように、本発明に必須の態様のうちの１つは、従来公知のものと比較して、デバイス（この場合においてはタイムピースモジュール１である）に画像ガイド２を直接組み込むことにある。一例として説明される場合、ベーシックウォッチムーブメント３が少なくとも１つの付加的な機能を備えるため、タイムピースモジュール１は、ベーシックウォッチムーブメント３上に配置される。この付加的な機能の特性は、本質的には本発明に重要ではないが、例えばさまざまな天文学データ、永年カレンダー機能、聴音反復機能、アラーム機能、レガッタウォッチまたはダイビングウォッチに必要とされる表示情報などであってもよく、これらは、ベーシックウォッチムーブメントによって駆動されかつその上に配置されるタイムピースモジュールによってコンパクトな様式で提供される。タイムピースモジュール１自体の構造とタイムピースモジュール１とベーシックウォッチムーブメント３との協働は、いずれも付加的な機能の提供に関して当業者によく知られており、そのため本明細書ではさらには説明しない。本発明においては、タイムピースモジュール１が、関連する画像ガイド２が取り付けられる少なくとも１つの開口１．１を備えることが重要である。開口１．１は、開口１．１が組み立てられた状態でベーシックウォッチムーブメント３の対応する表示デバイスの上方にかつダイアル４の対応する窓４．１の下方に配置されるように、モジュール１の適切な位置に適合される。本明細書に開示される例の開口は連続的である。その説明中に明らかになるように、開口は、用途に応じて非連続的なものとすることもできるが、特定のポイントを基点として一方向のみに面する。
【００２５】
タイムピースモジュール１が省略された画像ガイド２の拡大図である図１ｂに図示されるように、この方法において、例えばベーシックウォッチムーブメント３に取り付けられた従来の日付リング３によってベーシックウォッチムーブメント３の表示面に表示される日付情報を、画像ガイド２を用いてタイムピースモジュール１のディスプレイ面まで引き上げることができる、つまりダイアル４の高さまで引き上げることができる。ベーシックウォッチムーブメント３の表示面に表示された日付情報をダイアル４の高さまで引き上げ可能なことは、組み立てられた状態の２つの異なる実施形態を図示する図１ｃおよび図１ｄからも明らかである。図１ｃに基づく実施形態において、画像ガイド２の上部は、タイムピースモジュール１のディスプレイ面と同一平面上で終端をなしており、その一方で図１ｄに基づく実施形態において、画像ガイド２は、ダイアル４の表面と同一平面上で終端をなすように、ダイアル４における窓４．１を通過するようにある程度上方まで延伸されている。いずれの変形例においても、本発明は、対応するタイムピースモジュール１を備える時計を見た者に、実際にベーシックウォッチムーブメント３の高さに取り付けられた表示デバイスのディスプレイが、タイムピースモジュール１の高さまたはダイアル４の高さまで送られてきたような印象を与えることができる。ここでもまた、ベーシックウォッチムーブメントの高さに取り付けられた表示デバイスの性質は、二次的に重要なものでしかなく、例えば日付、曜日、月、年、月の満ち欠け、タイムピースの電力残量、モード表示、アラーム、ワールドタイム表示などの表示情報の中から選択できる。これら表示情報項目は、または本発明の核心に影響を及ぼすことのない、表示ディスクの使用とポインターおよび関連付けられた目盛りの協働の適用との両方またはこれら設備の組み合わせに基づいて、ベーシックウォッチムーブメント３の表示面上で再生できる。こうした表示ディスクの使用によるものは図１ａから図１ｄにおける場合であり、ポインターおよび関連付けられた目盛りの協働の適用によるものは図１ｅおよび図１ｆに例示的かつ概略的に図示される。図１ｅは、ベーシックウォッチムーブメント３から発生されて目盛りに関連するポインターによって指し示される表示情報が画像ガイド２により表示されるダイアルの平面図であり、図１ｆは、ベーシックウォッチムーブメント３の上に配置された関連するタイムピースモジュール１の部分透視平面図である。適切なベーシックウォッチムーブメント３の展開例は当業者によく知られているため、本明細書ではさらなる説明は省略する。
【００２６】
特に、タイムピースモジュールに組み込まれた画像ガイド２のそれぞれに関して、タイムピースモジュール１は、モジュール１における関連付けられた開口１．１内に画像ガイドを固定するための手段５、６を有する。画像ガイド２自体に加えて、本発明に基づく固定手段５、６は、ベーシックウォッチムーブメント３の表示面上に本来表示される表示情報を、タイムピースモジュール１のディスプレイ面上に再生可能にする。これは特に腕時計に適した様式で実施される。図２ａ、図２ｂ、図２ｃおよび図２ｄには、本発明に基づくデバイスの４つの実施形態の原理またはそれぞれ対応するタイムピースモジュール１が分解図によって概略的に示される。これら実施形態は主にデバイス（各自のモジュール１）への画像ガイド２の固定の特徴が異なっており、特に画像ガイドのそれぞれ（つまり個々の誘導体２）は、当該デバイス（各自のモジュール１）に直接組み込まれるか、あるいは最初に固定具に取り付けられ、続いて固定具がデバイス（各自のモジュール１）に固定される。
【００２７】
画像ガイド（個々のガイド２）がモジュール１に直接組み込まれる場合、タイムピースモジュール１に画像ガイドを固定するための手段５は例えばモジュールベースプレート１．２上に取り付けられる固定クランプ５によって実現できる。図１ａおよび図２ａに基づく本発明のタイムピースモジュール１のこの実施形態は、図３ａ、図３ｂ、図３ｃ、図３ｄおよび図３ｅに例示的かつ概略的に図示される。図３ａの分解図には、その認識が容易なわずかに弾性のある固定クランプ５とともにモジュールベースプレート１．２が図示される。当該固定クランプ５は、連続開口１．１の回りに半径方向分布されており、かつクランプ５に取り付けられる画像ガイド２とほぼ同じ高さを有する。図３ｂおよび図３ｃの斜視図は、組み立てられた状態にある同様の構造を図示しており、いずれもモジュール１を完全なものとするモジュールブリッジ１．３を備えていてもそうでなくてもよい。タイムピースモジュール１の他の構成要素はその機能次第でありかつ本発明では重要ではないため、図面からは省略する。図３ｄは、ベーシックウォッチムーブメント３とダイアル４とともに組み立てられた状態にあるこの実施形態を斜視図で示し、図３ｅは、同様の実施形態を図３ｄの線Ｉ−Ｉに沿った断面図で示す。ここでさらに説明すべきことに、明らかに弓状の断面を有する固定クランプ５は、好ましくはモジュールベースプレート１．２とともに一体部品から製造される。なお固定クランプ５は、必要に応じてプラスチックなどの異なる材料から別々に製造され、続いて固定クランプ５は、モジュールベースプレート１．２における連続開口１．１の周縁に固定されてもよい。固定クランプ５の弾性は、その壁の厚さによって、例えばクランプ５の高さ全体にわたって分布される多様な異なる壁厚さによって、調整可能である。クランプ５がモジュールベースプレート１．２とともに一体的に製造される場合、これは、図３ｅおよび図９ｃの拡大断面図から明らかなように開口１．１におけるさまざまな直径の孔を用いて実現可能である。いずれの場合においても、画像ガイド２の外周が弓状固定クランプ５同士の間の成型シリンダの内周に明確に対応し、画像ガイド２が固定クランプ５同士の間で加圧されるため、画像ガイド２は、耐衝撃様式でタイムピースモジュール１に固定される。一体構造において、この変形例はモジュールベースプレート１．２および画像ガイド２以外の構成要素を何も必要とせず、そのため特に組み立てが簡単であり、製造コストが低く、かつ比較的小さなスペースしか要求しないという特性を有する。
【００２８】
画像ガイド（個々の誘導体２）が、まず固定手段に取り付けられ、続いて該固定手段がデバイス（個々のモジュール１）に固定される場合、タイムピースモジュール１に画像ガイドを取り付ける手段６は、好ましくはモジュールベースプレート１．２に取り付けられるソケット６によって実現できる。図２ｂ、図２ｃおよび図２ｄに基づく本発明のタイムピースモジュール１の対応する実施形態は、図４ａ、図４ｂおよび図４ｃ、図５ａ、図５ｂおよび図５ｃならびに図６ａ、図６ｂおよび図６ｃにより詳細に概略的かつ例示的に図示される。
【００２９】
このため図２ｂに基づく本発明のタイムピースモジュール１が、図４ａにおいては部分斜視図で、図４ｂにおいては平面図で、かつ図４ｃにおいては図４ｂの線III−IIIに沿った断面図で、組み立てられた状態で図示されており、この実施形態は、クリンピングによってモジュールベースプレート１．２における連続開口１．１内に取り付けられるソケット６を使用する。そのため、この場合におけるソケット６は、図４ｃの断面図で確認できるように、その外周の上縁部において半径方向に延在する保持突出部を有する。この保持突出部は、モジュール１の連続開口１．１の上方領域内のより大きな開口直径によって形成されるような対応する保持溝と協働する。この実施形態におけるソケット６は、明らかに全体的に中空の円筒形状を有する。この変形例がモジュールベースプレート１．２および画像ガイド２に加えてソケット６の形態の他の構成要素を１つしか必要としない点において、その変形例もまた、比較的組み立てが簡単でありかつ製造コストが低いという特性を有する。さらにソケット６は、特にウォッチムーブメントの方向における振動や衝撃に対して、ソケット６内に取り付けられる画像ガイド２を付加的に固定することに役立つ。
【００３０】
図２ｂに基づく本発明のタイムピースモジュール１の実施形態が図５ａにおいては部分斜視図で、図５ｂにおいては平面図で、かつ図５ｃにおいては図５ｂの線IV−IVに沿った断面図で組立状態で図示されており、この実施形態もソケット６を使用するが、当該ソケット６は、ねじ固定によってモジュールベースプレート１．２の連続開口１．１内に取り付けられる。この目的のために、例えばソケット６の上縁部の領域において、ソケット６は、モジュール１内に螺合可能なボルトが貫通する孔を備える少なくとも２つの横方向取付突出部を有することができ、それゆえソケット６は、ソケット６内に取り付けられる画像ガイド２とともに、耐衝撃様式でタイムピースモジュール１に固定可能となる。この変形例もまた、比較的組み立てが簡単であることによって、かつソケット６の中に取り付けられる画像ガイド２を振動および衝撃に対して付加的に固定することによって特性付けられる。この変形例は、上述の変形例と比較するとクリンピング(crimping)することなく実現される。
【００３１】
図２ｄに基づく本発明のタイムピースモジュール１の実施形態に対応するさらなる代替例が、図６ａにおいては部分斜視図で、図６ｂに６おいては平面図で、かつ図６ｃにおいては図６ｂの線Ｖ−Ｖに沿った断面図で、組立状態で図示されている。この代替例もソケット６を使用するが、このソケット６は、上述の２つの変形例と比較すると、付加的な保持要素７を使用してモジュールベースプレート１．２の連続開口１．１内に取り付けられている。保持要素７は、例えば、画像ガイド２の外周に対応する特定の形状とモジュール１にねじ締め可能なボルトが通る孔とを備える小さな支持プレートの形態で実現でき、かつ開口１．１にソケット６を固定するために使用される。この場合において、図４ｂ、図５ｂおよび図６ｂの断面図に図示される上述の実施形態のいずれにもおけるように、ソケット６は、その外周の上縁部に対して半径方向に延在する保持突出部を有する。当該保持突出部は、モジュール１の連続開口１．１の上方領域の対応する保持溝と協働する。
【００３２】
直接的なねじ係合を可能にしかつタイムピースモジュール１と同じ高さへの高さ調節を可能にする外ねじ（場合によってはソケットの迅速な固定のために送り装置に組み合わせられる外ねじ）を備えるソケットなどのさらなる実施形態（図示せず）も考えられる。さらに、ソケット６を使用する上述の実施形態において、画像ガイド２は、接着剤を使用してソケット内に固定されることが好ましい。そうした固定に適した接着剤は、セラックなどのゴム系接着剤、シリコーンラバー、シリコーンエラストマーなどの合成ポリマー、あるいは樹脂もしくは他の一般的な接着剤、糊、および当業者に公知のシーラントを含む。有利なことに、ソケット６は、その内側に、半径方向周囲に延在する接着剤ジョイントを有することができる。ジョイントは、ソケット６の内壁上の過剰な接着剤の塗布および自動的な分散を促進させる。モジュール１の固定クランプ５同士の間で加圧されることによる画像ガイド２の直接挿入と比較すると、接着剤は、組み立て中に画像ガイドが損なわれるリスクを大幅に低減させることができる。また、ソケット内に画像ガイド２を固定するための代替的な技術として、加圧による挿入なども考えられる。ソケット６に関連して、ソケット６が、−円筒状の外形に加えて−円錐形または傾斜した外形、および／または円筒形、円錐形、傾斜、あるいは直角の内形を有することもできることに留意されたい。その理由は以下で述べる。
【００３３】
すでに簡単に述べたように、実際に、ベーシックウォッチムーブメントの表示面上に表示される表示情報を、画像ガイド２を用いて、細部に関して正確にかつタイムピースモジュール１（個々のダイアル４）のディスプレイ面におけるスケールに忠実に、ディスプレイに写し出すことだけが可能なのではない。画像ガイド２はまた、その遠位端にある画像を、拡大して、軸線を偏移させて、かつ／またはその画像を変形させて、画像ガイド２の近位端で再生することもできる。これは、この場合では、タイムピースモジュール１のディスプレイ面に画像を表示することを意味する。ベーシックウォッチムーブメント３のディスプレイ面上に再生された表示情報の拡大の実現性が、モジュール１が省略された画像ガイド２の斜視分解図である図７ａ、その部分拡大図である図７ｂ、ベーシックウォッチムーブメント３およびダイアル４とともに組み立てられた状態のモジュール１の斜視透視図である図７ｃ、および図７ｃにおける線VI−VIに沿った断面図である図７ｄに概略的に図示される。画像ガイド２の円錐形状は、ここでは画像の拡大効果をもたらし、−図７ｂに図示されるように−、例えば大きな日付表示を実現するために使用できる。当然のことながら他の用途も考えることができる。
【００３４】
ベーシックウォッチムーブメント３のディスプレイ面上で再生される表示情報の変位(displacement)の実現性が、モジュール１が省略された画像ガイド２の斜視分解図である図８ａ、その部分拡大図である図８ｂ、ベーシックウォッチムーブメント３およびダイアル４とともに組み立てられた状態のモジュール１の斜視透視図である図８ｃ、および図８ｃにおける線VIII−VIIIに沿った断面図である図８ｄに概略的に図示される。画像ガイド２の傾斜した（角度が付けられた）形態は変移効果をもたらし、それは、−図８ｂおよび図８ｄから特に明らかなように−、例えばベーシックウォッチムーブメント３上のオリジナル表示領域の上方に厳密に位置しないモジュール１の異なる場所に、その表示を距離Δまでシフトさせるように使用できる。これは、特に複雑なタイムピースモジュール１の場合に有利であり、さらには技術的に必要となろう。あるいは単純にデザインのために−それぞれ美的な理由から−そうすることもできる。また当然のことながら、図示される用法に加えて、ベーシックウォッチムーブメント３上の日付ディスク３．１と併せて他の用途も想定される。
【００３５】
上述のように、本発明に基づくデバイスは、タイムピースのベーシックウォッチムーブメント３と協働しかつそれにより少なくとも１つの付加的な機能を実現可能にする上記タイムピースモジュール１の形態にしか実施できないものではない。そうしたデバイスはまた、ベーシックウォッチムーブメント３と直接協働しないがタイムピースの少なくとも１つの付加的な機能を実施するウォッチモジュールから構成されてもよい。この場合において、図示しないが、ウォッチモジュールの形態のデバイスはまた、少なくとも１つの開口を備えており、該開口のそれぞれに、１つの関連付けられた画像ガイド２が、当該画像ガイド２が表示面上に初めに表示された表示情報を比較的自由に選択可能なディスプレイ面上に再生できるように、関連付けられた固定手段５、６を用いて取り付けられる。
【００３６】
この種類のウォッチモジュールは、例えば圧力計、高度計、深さゲージ、気圧計、コンパス、またはタイムピースにモジュラー様式で設置可能なさまざまな他の構成要素の形態で設けられてもよい。多くの場合、圧力計などのデバイスは、その機能がベーシックウォッチムーブメント３の駆動エネルギーとは関係なく、ベーシックウォッチムーブメント３とタイムピースケースのベースとの間に取り付けられる。多くの場合にケースのベース上にディスプレイを有する複雑なタイムピースにおいて、そうした圧力計の従来の方法に基づく付加的な設置は、状況次第で仮にこのディスプレイを収容する別の手段が必要となるならば、ベーシックウォッチムーブメント３の費用のかかる再設計を必要とする。本発明の技術的開示によれば、ウォッチモジュールにおける（つまり、この例では圧力計における）連続開口は、その中に取り付けられる画像ガイド２を用いて、ベーシックウォッチムーブメント３すべてを変更することなく同様の結果をもたらす。また、例えば表示情報を転写するためにモジュールにおける非連続的な開口を用いてタイムピースモジュールに関する上述の説明をそうしたウォッチモジュールに適用することによって、そのディスプレイ面は、ウォッチモジュールの範囲内で、ウォッチモジュール上の相対的に自由に規定可能な外部ディスプレイ面上に本来配置される。さらに実現可能な関連する構成については以下で明らかとなろう。
【００３７】
本発明に基づくデバイスはまた、時計のベーシックウォッチムーブメント３で構成されてもよい。この場合が、本発明に基づくベーシックウォッチムーブメントの斜視分解図である図９ａ、部分的に透視図である図９ａと同様のベーシックウォッチムーブメントの部分斜視図である図９ｂ、および図９ａの線VIII−VIIIに沿ったベーシックウォッチムーブメントの断面図である図９ｃに図示される。本発明に基づくデバイスのこの実施形態は、画像ガイド２を用いて、ベーシックウォッチムーブメント３におけるダイアル上に本来表示された表示情報を、ベーシックウォッチムーブメントのうちのダイアル４から離れて面する側に転写可能にする。特に、図示された例において、表示情報は、日付リングの下側に取り付けられた日付の数字を用いて、ベーシックウォッチムーブメント３におけるダイアル側に取り付けられる日付リング３．１の下側に表示される日付情報である。したがって画像ガイド２は、例えばベーシックウォッチムーブメント３の非連続的開口３．２内に、例えばブリッジまたはプレート３．３内に、固定される。ウォッチモジュールの場合のように、実現可能な固定手段に関連する上記説明も全く同じ様式で適用される。
【００３８】
これに関連して、図９ｄには、ウォッチケースのベース上に設けられたディスプレイを斜視図で概略的かつ例示的に図示する。図９ｄにおいてウォッチベースには表示情報を読み取るための窓が備えられる。図示されたケースにおいて、再生された表示は日付情報ではなくタイムピースの電力残量である。なお、上述のように、表示される情報の性質は本発明の核心要件ではない。さらなる構成において、ベーシックウォッチムーブメントの中心から発生する情報項目、例えばタイムピースの特定の機能の作動の現在のモードに関する情報項目を、ムーブメント内の非連続開口に取り付けられた画像ガイドを介してムーブメントの上部または下部で再生できる。ここで説明された構造が、ムーブメント３が、少なくとも１つの開口３.２であって、該開口３．２の各々には、画像ガイド２が表示面上に表示された表示情報を相対的に自由に規定可能なディスプレイ面上で表示できるように適切な固定手段５、６によって関連付けられた画像ガイド２が取り付けられる、開口３.２を備えており、このものにおいて、表示情報の本来の表示面が、ベーシックウォッチムーブメント３内にまたはその上に配置されており、かつそのディスプレイ面が、ベーシックウォッチムーブメント３のうちの、タイムピースモジュール１のうちの、または他のウォッチモジュールのうちの、当該表示面から離れた位置に配置されるような、一般的な場合に関連することに留意されたい。
【００３９】
なお上述のように、所定のタイムピースにおける本発明の用途に応じて他の範囲の構成も実現可能である。そのため、例えば大まかに言うと、表示情報の表示面は、ベーシックウォッチムーブメント３と協働しないモジュール内にまたはそうしたモジュール上に配置でき、かつディスプレイ面は、ベーシックウォッチムーブメント３のうちのまたはタイムピースモジュール１のうちの、ディスプレイ面から離れた位置に配置できる。特にこれは、上述の圧力計などのウォッチモジュールに表示される表示情報項目であって、当該表示情報項目は、その縁部領域における圧力計の非連続的な開口内の画像ガイド２を介して転写され、かつベーシックウォッチムーブメント３における連続開口３．２内に取り付けられたさらなる画像ガイド２の遠位端によって検出されかつダイアル４上に配置される画像ガイドの近位端へ転写される表示情報項目によって達成される。その一方で、これにより、表示情報の表示面を、ベーシックウォッチムーブメント３と協働するタイムピースモジュール１内にまたはその上に配置できること、およびベーシックウォッチムーブメント３のうちのまたはウォッチモジュールのうちの所定の位置に配置されるディスプレイ面が、表示面から離間していることが明らかであり、そのためさらに詳細な例示は必要ではないだろう。この技術的開示によれば、特に、本発明に基づくデバイスのさまざまな実施形態の組み合わせまたは結び付けが、所望のディスプレイ面上に表示情報を再生するために、画像ガイドを備えるタイムピースモジュールの形態、画像ガイドを備えるウォッチモジュールの形態および画像ガイドを備えるベーシックウォッチムーブメントの形態で考えられることは明らかである。したがってその構成に応じて、タイムピースモジュール１、ウォッチモジュール、ベーシックウォッチムーブメント３のそれぞれにおける対応する開口１．１、３．２は、画像ガイド２がベーシックウォッチムーブメント３の表示面または時計のモジュールの表示面上に表示される表示情報を所望のディスプレイ面上に再生可能にする場合でなければ、連続であって非連続であってもよい。これは、本発明に基づくデバイスがその用途に関連して高い適応性を有することを明らかにする。
【００４０】
図１０ａ、図１０ｂ、図１０ｃおよび図１０ｄは、最終的に、形はどうであれ完成していると言える様式で概略的な斜視図により、本発明に基づくデバイスで使用できる画像ガイド２の実現可能な形態の選択肢の概要を提供する。これら図面はまた、再生される表示情報における、画像ガイド２の形状および構造によって条件付けられる上述の効果を明らかにする。この効果は、いずれにおいても、画像ガイド２の遠位端部上で−かつその近位端部上で−記号で描かれる日付の数字“１２”を用いて示される。これらの図面によれば、すでに述べた円筒状、円錐状、または傾斜した画像ガイド２に加えて、例えばダイアル４の窓４．１の形状または他の技術的状況を考慮して、例えば矩形状の外形を有する画像ガイド２を使用することもできる。また図示しないが、例えばディスプレイ面上で再生される表示情報をダイアルのデザインに調和させるために、着色された画像ガイドを使用できることも考えられる。加えて、こうした可能な形態を互いに要求に応じて組み合わせることも可能である、つまり、本発明に基づくモジュール１に対応する画像ガイド２を結び付けることも可能である。
【００４１】
本発明に基づくデバイスで使用されるように、画像ガイド２はシース９を有することもできる。シース９は、例えば画像ガイド２の幾何学的形状に合致しており、ソケット６内への画像ガイド２の固定を容易にする。これはまた図１１ａ、図１１ｂ、図１１ｃ、図１１ｄ、図１１ｅ、図１１ｆ、図１１ｇ、図１１ｈ、図１１ｉ、図１１ｊおよび図１１ｋに概観として概略斜視図で図示されているが、図示されたものがすべてであると認められる様式のものではない。これにより、例えば図１１ａには円筒状シース９を有する円筒状画像ガイド２が図示される一方で、図１１ｂには矩形状を有するシース９に包囲される同様の画像ガイド２が図示される。図１１ｃ、図１１ｄおよび図１１ｅの矩形状の画像ガイド２は、それぞれ円筒形の外形、平坦な側面を有する略円筒形の外形および矩形状を備えるシース９によって包囲されている。これらシース９もまた、デバイス内またはソケット６内の開口への画像ガイドの嵌合を容易にすることを意図している。図１１ｆ、図１１ｇおよび図１１ｆの円錐形または傾斜した画像ガイド２にも同様の理由からシース９が設けられている。これら図面におけるシース９は、例示的に円筒形の形態で図示される。図１１ｇの場合、画像ガイド２は、その近位端においてシース９と同心となるように配置されている。これに対して図１１ｈでは、画像ガイド２はその遠位端においてシース９と同心となるように配置されている。このように、創造的自由さが、伝達される表示情報の再生位置の選択によく表れている。最終的に図１１ｉ、図１１ｊおよび図１１ｋには、シース９がその半径方向外側側面においてさまざまな形状を備えるような画像ガイド２のための略円筒形シース９が図示される。こうしたシース９は組み立てを容易にするよう機能する。したがって例えば図１１ｉに基づくシース９は、半径方向外側側面上に、画像ガイド２の軸線に平行に延在するノッチを有しており、一方で図１１ｊおよび図１１ｋに基づくシース９は、それらの半径方向外側側面の一端にあるいは両端において、環状連続部を有する。なお、画像ガイド２の用途に応じて使用できるシース９の形態の多様性および本発明に基づくデバイスへのその組み込みは、すべて説明されたと認められるものではなく、本発明の対象を制限することなく使用可能な形態の選択肢を示したものに過ぎない。画像ガイド２のシース９は、例えばいわゆるインサート成形工程によって、オーバーモールディングまたは鋳直しによって、本発明に基づくデバイスのために製造できる。シース９のための材料は、好ましくは、プラスチックまたは熱硬化性プラスチックなどの合成材料もしくは樹脂などの基材からなる。図面から明らかなように、上記方法は、単純な外側形状の（好ましくは円筒形、矩形、または多角形の外形の）シース９とともに、複雑な幾何学的形状を含むさまざまな形状の画像ガイド２のオーバーモールディングまたは鋳直しを可能にする。このように封入された画像ガイド２は、続いて、技術的に手が込んでおりかつ時間のかかる製造ならびに鋸引き、研磨または艶出しなどの調整工程をまったくあるいはほぼ伴わずにデバイスに設置できる。
【００４２】
最終的に、本発明は、本発明自体が明らかにするように、上述のようなデバイス、特にそうしたタイムピース１、そうしたウォッチモジュールまたはそうしたベーシックウォッチムーブメントを備えるタイムピースにも適用できることに留意されたい。
【００４３】
したがって、本発明に基づくデバイスは、時計製造業の当業者の一般的な見解に反して、時計内に画像ガイドの組み込むこと、特に好ましくはモジュラータイプの構造の下方において、ベーシックウォッチムーブメントに追加される付加的な機能を可能にするデバイスを実現でき、同時に美観に関する不利な点を伴わずに、本体の表示面（例えばベーシックウォッチムーブメントの面）上に表示される表示情報を相対的に自由に選択できるディスプレイ面で視認できるようにする。加えて上述の本発明に基づくデバイスの詳細な説明は、本発明が画像ガイドの固定を、最適な様式で、概念的に単純さを維持する設計特徴部によって実施できることを示す。第一に、提供される固定手段は、本発明に基づく固定具を用いる限りは、時計内で画像ガイドを使用することの機能的特性を促進し、その材料特性により破損しやすい画像ガイドは、損傷なく時計内に設置でき、その処理および組み立てのそれぞれは、最も単純な方法で既存の製造工程に組み込むことができる。第二に、これら固定手段は、デバイス内に組み込まれた画像ガイドを、関連付けられた腕時計の使用中の振動や衝撃から効果的に保護する。また一般的なデザインは、タイムピースモジュールなどのデバイスへの画像ガイドの組み込みの形態において、システムの製造や後に行われるシステムのメンテナンスを相対的に簡単にかつ低コストで可能にする。提案されるデバイスがタイムピースに大きな変更を要求しない限りは、本発明に基づくシステムは、市場の大部分を占めるタイムピースに使用できるという利点も有する。なお本発明のデバイスは特に、例示的な様式で、特に高品質のメカニカル腕時計の分野におけるコンテンポラリーウォッチに求められる美観に関する要求を満たすものである。
【符号の説明】
【００４４】
１  タイムピースモジュール
２  画像ガイド
３  ベーシックウォッチムーブメント
４  ダイアル
５  固定クランプ
６  ソケット
７  保持要素
９  シース
【図１ａ】
2014528580.tif 000003
【図１ｂ】
2014528580.tif 000004
【図１ｃ】
2014528580.tif 000005
【図１ｄ】
2014528580.tif 000006
【図１ｅ】
2014528580.tif 000007
【図１ｆ】
2014528580.tif 000008
【図２ａ】
2014528580.tif 000009
【図２ｂ】
2014528580.tif 000010
【図２ｃ】
2014528580.tif 000011
【図２ｄ】
2014528580.tif 000012
【図３ａ】
2014528580.tif 000013
【図３ｂ】
2014528580.tif 000014
【図３ｃ】
2014528580.tif 000015
【図３ｄ】
2014528580.tif 000016
【図３ｅ】
2014528580.tif 000017
【図３ｆ】
2014528580.tif 000018
【図３ｇ】
2014528580.tif 000019
【図３ｈ】
2014528580.tif 000020
【図４ａ】
2014528580.tif 000021
【図４ｂ】
2014528580.tif 000022
【図４ｃ】
2014528580.tif 000023
【図５ａ】
2014528580.tif 000024
【図５ｂ】
2014528580.tif 000025
【図５ｃ】
2014528580.tif 000026
【図６ａ】
2014528580.tif 000027
【図６ｂ】
2014528580.tif 000028
【図６ｃ】
2014528580.tif 000029
【図７ａ】
2014528580.tif 000030
【図７ｂ】
2014528580.tif 000031
【図７ｃ】
2014528580.tif 000032
【図７ｄ】
2014528580.tif 000033
【図８ａ】
2014528580.tif 000034
【図８ｂ】
2014528580.tif 000035
【図８ｃ】
2014528580.tif 000036
【図８ｄ】
2014528580.tif 000037
【図９ａ】
2014528580.tif 000038
【図９ｂ】
2014528580.tif 000039
【図９ｃ】
2014528580.tif 000040
【図９ｄ】
2014528580.tif 000041
【図１０ａ】
2014528580.tif 000042
【図１０ｂ】
2014528580.tif 000043
【図１０ｃ】
2014528580.tif 000044
【図１０ｄ】
2014528580.tif 000045
【図１１ａ】
2014528580.tif 000046
【図１１ｂ】
2014528580.tif 000047
【図１１ｃ】
2014528580.tif 000048
【図１１ｄ】
2014528580.tif 000049
【図１１ｅ】
2014528580.tif 000050
【図１１ｆ】
2014528580.tif 000051
【図１１ｇ】
2014528580.tif 000052
【図１１ｈ】
2014528580.tif 000053
【図１１ｉ】
2014528580.tif 000054
【図１１ｊ】
2014528580.tif 000055
【図１１ｋ】
2014528580.tif 000056
【国際調査報告】
2014528580.tif 000057
2014528580.tif 000058
2014528580.tif 000059
2014528580.tif 000060
2014528580.tif 000061